(57)【要約】【課題】部品の種類数の増大を抑えながら、アース部材と端子金具との位置関係を複数の形態に変更できるようにする。【解決手段】フィルタ内蔵型コネクタＡは、ハウジング１０と、ハウジング１０に取り付けた端子金具２０と、ハウジング１０に対しその外面側へ露出した状態で取り付けられるアース部材２０と、ハウジング１０内に収容され、端子金具２０とアース部材３０に接続されるコンデンサ３０（フィルタ）と、ハウジング１０とアース部材３０に互いに嵌合可能に設けられ、ハウジング１０とアース部材３０を相対的位置関係の異なる複数の取付け形態に選択的に保持可能な複数の嵌合部（嵌合孔１８Ｆ，１８Ｒ，１９Ｌ，１９Ｒと嵌合突起３３Ｆ，３３Ｒ，３４Ｌ，３４Ｒ）と、ハウジング１０に形成され、アース部材３０におけるコンデンサ３０との接続領域をハウジング１０の内部に臨ませる切欠部１７を備える。【選択図】図１
2015103403.tif 000002
【特許請求の範囲】
【請求項１】
ハウジングと、
前記ハウジングに取り付けられた端子金具と、
前記ハウジングに対し、その外面側へ露出した状態で取り付けられるアース部材と、
前記ハウジング内に収容され、前記端子金具と前記アース部材に接続されるフィルタとを備えたフィルタ内蔵型コネクタであって、
前記ハウジングと前記アース部材に互いに嵌合可能に設けられ、前記ハウジングと前記アース部材を相対的位置関係の異なる複数の取付け形態に選択的に保持可能な複数の嵌合部と、
前記ハウジングに形成され、前記アース部材における前記フィルタとの接続領域を前記ハウジングの内部に臨ませる切欠部とを備えていることを特徴とするフィルタ内蔵型コネクタ。
【請求項２】
前記ハウジング側の前記嵌合部と前記アース部材側の前記嵌合部が正多角形の頂点を構成するように配置され、
前記ハウジング側の前記嵌合部と前記アース部材側の前記嵌合部のうち一方の前記嵌合部の数が、他方の前記嵌合部と同じ数、又は前記他方の嵌合部の整数倍の数とされていることを特徴とする請求項１記載のフィルタ内蔵型コネクタ。
【請求項３】
前記アース部材側の前記嵌合部が、前記ハウジング側の前記嵌合部に対し圧入されるようになっていることを特徴とする請求項１又は請求項２記載のフィルタ内蔵型コネクタ。
【発明の詳細な説明】
【技術分野】
【０００１】
本発明は、フィルタ内蔵型コネクタに関するものである。
【背景技術】
【０００２】
特許文献１には、ハウジングに端子金具とアース部材を取り付け、ハウジング内に収容したフィルタを端子金具とアース部材に接続した形態のフィルタ内蔵型コネクタが開示されている。このフィルタ内蔵型コネクタは、端子金具にワイヤーハーネス等の回路を接続し、アース部材を自動車のボディ等に接地することで、回路のノイズを除去するようになっている。
【先行技術文献】
【特許文献】
【０００３】
【特許文献１】特許第４５２４３１８号公報
【発明の概要】
【発明が解決しようとする課題】
【０００４】
上記のフィルタ内蔵型コネクタは、端子金具とアース部材の両方がハウジングに固定されているため、端子金具とアース部材の位置関係も一定である。そのため、例えば、端子金具が接続される回路と、アース部材が接続される接地面との位置関係が複数形態ある場合には、各形態に合うように、形状の異なる複数種類のハウジングやアース部材等を容易する必要がある。しかし、部品の種類数が増えることは、製造コストや管理コスト等の点で好ましくない。
本発明は上記のような事情に基づいて完成されたものであって、部品の種類数の増大を抑えながら、アース部材と端子金具との位置関係を複数の形態に変更できるようにすることを目的とする。
【課題を解決するための手段】
【０００５】
本発明のフィルタ内蔵型コネクタは、
ハウジングと、
前記ハウジングに取り付けられた端子金具と、
前記ハウジングに対し、その外面側へ露出した状態で取り付けられるアース部材と、
前記ハウジング内に収容され、前記端子金具と前記アース部材に接続されるフィルタとを備えたフィルタ内蔵型コネクタであって、
前記ハウジングと前記アース部材に互いに嵌合可能に設けられ、前記ハウジングと前記アース部材を相対的位置関係の異なる複数の取付け形態に選択的に保持可能な複数の嵌合部と、
前記ハウジングに形成され、前記アース部材における前記フィルタとの接続領域を前記ハウジングの内部に臨ませる切欠部とを備えているところに特徴を有する。
【発明の効果】
【０００６】
ハウジング側の嵌合部とアース部材側の嵌合部との嵌合の組み合わせを変えることにより、ハウジングとアース部材を、相対的位置関係の異なる複数の取付け形態に選択的に保持することができる。また、アース部材は、ハウジングの外面側に露出した状態となるが、ハウジングの切欠部では、アース部材におけるフィルタとの接続部がハウジングの内部に臨んでいるので、ハウジング内のフィルタをアース部材に接続することができる。本発明によれば、アース部材と端子金具との位置関係を複数の形態に変更することができるので、部品の種類数の増大を抑えることができる。
【図面の簡単な説明】
【０００７】
【図１】実施例１の平面図
【図２】図１のＸ−Ｘ線断面図
【図３】ハウジングに対しアース部材を図１とは異なる形態で取り付けた状態をあらわす平面図
【図４】アース部材の平面図
【図５】実施例２の平面図
【図６】図５のＹ−Ｙ線断面図
【図７】ハウジングに対しアース部材を図１とは異なる形態で取り付けた状態をあらわす平面図
【図８】アース部材の平面図
【発明を実施するための形態】
【０００８】
（１）本発明のフィルタ内蔵型コネクタは、前記ハウジング側の前記嵌合部と前記アース部材側の前記嵌合部が正多角形の頂点を構成するように配置され、前記ハウジング側の前記嵌合部と前記アース部材側の前記嵌合部のうち一方の前記嵌合部の数が、他方の前記嵌合部と同じ数、又は前記他方の嵌合部の整数倍の数とされていてもよい。この構成によれば、ハウジング側の嵌合部とアース部材側の嵌合部が、周方向において等角度間隔で嵌合するので、ハウジングとアース部材との取付け状態が安定する。
【０００９】
（２）本発明のフィルタ内蔵型コネクタは、前記アース部材側の前記嵌合部が、前記ハウジング側の前記嵌合部に対し圧入されるようになっていてもよい。この構成によれば、ハウジングとアース部材を確実に取付け状態に保持することができる。
【００１０】
＜実施例１＞
以下、本発明を具体化した実施例１を図１〜図４を参照して説明する。本実施例１のフィルタ内蔵型コネクタＡは、合成樹脂製のハウジング１０と、一対の端子金具２０と、一対のコンデンサ２５（請求項に記載のフィルタ）と、１つのコイル２８と、アース部材３０とを備えて構成されている。尚、以下の説明において、上下の方向については図２に表れる向きを基準とし、前後方向については図１〜４における左側を前側と定義する。
【００１１】
＜ハウジング１０＞
図１，２に示すように、ハウジング１０は、上面が開放された箱形部材１１と、フード部１２とを一体に形成して構成されている。箱形部材１１の上面の開口部は、カバー１３によって閉塞されるようになっている。箱形部材１１は、平面視形状が正方形をなす底壁部１４と、底壁部１４の前縁から直角に立ち上がる前壁部１５Ｆと、底壁部１４の左側縁から直角に立ち上がる左側壁部１６Ｌと、底壁部１４の右側縁から直角に立ち上がる右側壁部１６Ｒと、底壁部１４の後縁から直角に立ち上がる後壁部１５Ｒとから構成されている。
【００１２】
フード部１２は、前壁部１５Ｆの外周縁から前方へ角筒状に延出した形態である。図２に示すように、フード部１２の下面は、箱形部材１１の底壁部１４の下面に対し、アース部材３０の厚さ寸法分だけ低くなっている。底壁部１４の後端部には、底壁部１４を上下方向に貫通した形態であって、平面視形状が左右方向（幅方向）に細長い切欠部１７が形成されている。
【００１３】
前壁部１５Ｆの左端部には、前壁部１５Ｆの下面に開口し、上方へスリット状に切欠された前部嵌合孔１８Ｆ（請求項に記載の嵌合部）が形成されている。左側壁部１６Ｌの前端部には、左側壁部１６Ｌの下面に開口し、上方へスリット状に切欠された左部嵌合孔１９Ｌ（請求項に記載の嵌合部）が形成されている。右側壁部１６Ｒの後端部には、右側壁部１６Ｒの下面に開口し、上方へスリット状に切欠された右部嵌合孔１９Ｒ（請求項に記載の嵌合部）が形成されている。後壁部１５Ｒの左端部には、後壁部１５Ｒの下面に開口し、上方へスリット状に切欠された後部嵌合孔１８Ｒ（請求項に記載の嵌合部）が形成されている。これら４つの嵌合孔１８Ｆ，１８Ｒ，１９Ｌ，１９Ｒは、平面視において正方形の頂点を構成するように配置されている。
【００１４】
＜端子金具２０＞
端子金具２０は、全体として前後方向に細長い形状である。一対の端子金具２０は、左右に並列するように配されており、前壁部１５Ｆを前後に貫通した状態でインサート成形によりハウジング１０（箱形部材１１）と一体化されている。端子金具２０の前端側領域を構成するタブ２１は、フード部１２内に収容され、図示しない回路を構成する相手側端子（図示省略）に接続されるようになっている。端子金具２０の後端部領域を構成する溶接部２２は、箱形部材１１内に収容されている。溶接部２２の上面には、コンデンサ２５のリード線２７Ｆとコイル２８が半田２３（溶接）により接続されている。
【００１５】
＜コンデンサ２５＞
コンデンサ２５は、コンデンサ本体２６と、コンデンサ本体２６から延出する前後一対のリード線２７Ｆ，２７Ｒとを備えて構成されている。コンデンサ本体２６は、側面視が横長の略方形をなし、幅寸法は、前後寸法及び上下寸法に比べて小さい。コンデンサ２５は、箱形部材１１内における左右両端部に配されている。一対のリード線２７Ｆ，２７Ｒは、いずれも、コンデンサ本体２６の上面における前端部と後端部から上向きに導出されている。上向きに導出された前側のリード線２７Ｆは、前方へ転向するように屈曲され、その先端部が、半田２３（溶接）により端子金具２０の溶接部２２の上面に導通可能に接続されている。また、上向きに導出された後側のリード線２７Ｒは、後方へ転向し、その先端部が、半田２３（溶接）により後述するアース部材３０に導通可能に接続されている。
【００１６】
＜コイル２８＞
コイル２８は、軸線を前後方向に向けた円柱形のコア２９の外周に螺旋状に巻き付けられて構成され、箱形部材１１内に収容されている。コイル２８は、底壁部１４の上面に載置された状態で、左右一対のコンデンサ２５の間に配されている。コイル２８の両端部は、一対の端子金具２０の溶接部２２に、半田２３（溶接）により導通可能に接続される。コイル２８の溶接は、コンデンサ２５の前側のリード線２７Ｆを溶接する工程で同時に行われる。上記のようにアース部材３０と端子金具２０に接続されたコイル２８と２つのコンデンサ２５は、π型のフィルタ回路を構成し、端子金具２０に接続された回路のノイズを効果的に除去するフィルタとしての機能を発揮する。
【００１７】
＜アース部材３０＞
アース部材３０は、所定形状に打ち抜いた金属板材に、曲げ加工を施して成形されている。図４に示すように、アース部材３０は、平面視が正方形をなす本体部３１と、本体部３１の外周縁のうち後縁から後方へ本体部３１と面一状に延出する接地部３２と、４つの嵌合突起３３Ｆ，３３Ｒ，３４Ｌ，３４Ｒ（請求項に記載の嵌合部）とから構成されている。接地部３２は、左右方向における中心から少し右方へ片寄った位置に配置されている。接地部３２には、貫通形態の取付孔３５が形成されている。
【００１８】
本体部３１の前端縁には、その右端部から上方へ直角に立ち上がった形態の前部嵌合突起３３Ｆ（請求項に記載の嵌合部）が形成されている。本体部３１の左側縁には、その前端部から上方へ直角に立ち上がった形態の左部嵌合突起３４Ｌ（請求項に記載の嵌合部）が形成されている。本体部３１の右側縁には、その後端部から上方へ直角に立ち上がった形態の右部嵌合突起３４Ｒ（請求項に記載の嵌合部）が形成されている。本体部３１の後端縁には、その左端部から上方へ直角に立ち上がった形態の後部嵌合突起３３Ｒ（請求項に記載の嵌合部）が形成されている。これら４つの嵌合突起３３Ｆ，３３Ｒ，３４Ｌ，３４Ｒも、４つの嵌合孔１８Ｆ，１８Ｒ，１９Ｌ，１９Ｒと同様、平面視において正方形の頂点を構成するように配置されている。
【００１９】
＜実施例１の作用及び効果＞
フィルタ内蔵型コネクタＡの製造工程を説明する。まず、インサート成形により、ハウジング１０を成形すると同時に、ハウジング１０と一対の端子金具２０を一体化させる。次に、ハウジング１０に対し、その下方からアース部材３０を組み付ける。アース部材３０を取り付ける際には、ハウジング１０に対する接地部３２の位置を決める。例えば、図１に示すように、接地部３２が、端子金具２０のタブ２１の突出方向とは正反対に、ハウジング１０の後方へ突出するようにする場合には、アース部材３０の前部嵌合突起３３Ｆ、左部嵌合突起３４Ｌ、右部嵌合突起３４Ｒ及び後部嵌合突起３３Ｒを、夫々、ハウジング１０の前部嵌合孔１８Ｆ、左部嵌合孔１９Ｌ、右部嵌合孔１９Ｒ及び後部嵌合孔１８Ｒに圧入する。そして、本体部３１が底壁部１４（ハウジング１０）の下面（外面）に面当たり状態で当接するまで圧入すれば、ハウジング１０に対するアース部材３０の取付けが完了する。
【００２０】
アース部材３０をハウジング１０に取り付けた状態では、４つの嵌合突起３３Ｆ，３３Ｒ，３４Ｌ，３４Ｒと４つの嵌合孔１８Ｆ，１８Ｒ，１９Ｌ，１９Ｒとの間の摩擦抵抗により、アース部材３０とハウジング１０は取付け状態に確実に保持される。４つの嵌合突起と４つの嵌合孔は、箱形部材１１と本体部３１の四隅に配置されているので、アース部材３０とハウジング１０との取付け状態は、箱形部材１１及び本体部３１の全周に亘って安定する。また、本体部３１の上面における後端部が、切欠部１７からハウジング１０（箱形部材１１）の内部に臨んでいる。このアース部材３０のうち切欠部１７においてハウジング１０内に臨む領域は、コンデンサ２５のリード線２７Ｒとの接続領域となる。
【００２１】
アース部材３０をハウジング１０に取り付けた後、箱形部材１１内にコイル２８とコンデンサ２５を収容し、コイル２８を端子金具２０の溶接部２２に半田２３によりに接続するとともに、コンデンサ２５のリード線２７Ｆ，２７Ｒを端子金具２０とアース部材３０の本体部３１に半田２３により接続する。コンデンサ２５とコイル２８の接続が済んだら、箱形部材１１の開口部にカバー１３を取り付ける。以上により、フード部１２内蔵型コネクタＡの製造が完了する。
【００２２】
また、図３に実線で示すように、接地部３２をハウジング１０の右方へ突出させる場合には、アース部材３０の前部嵌合突起３３Ｆをハウジング１０の左部嵌合孔１９Ｌに、左部嵌合突起３４Ｌを後部嵌合孔１８Ｒに、右部嵌合突起３４Ｒを前部嵌合孔１８Ｆに、後部嵌合突起３３Ｒを右部嵌合孔１９Ｒに、夫々、圧入する。この場合は、本体部３１の上面における左側縁部が、切欠部１７において箱形部材１１内に臨み、ここにリード線２７Ｒが接続される。また、この場合も、アース部材３０とハウジング１０が、図１の場合と同様、正方形の頂点を構成する４カ所で嵌合突起３３Ｆ，３３Ｒ，３４Ｌ，３４Ｒと嵌合孔１８Ｆ，１８Ｒ，１９Ｌ，１９Ｒが嵌合しているので、アース部材３０とハウジング１０の取付け状態が箱形部材１１及び本体部３１の全周に亘って安定する。
【００２３】
また、図３に想像線で示すように、接地部３２をハウジング１０の左方へ突出させる場合には、アース部材３０の前部嵌合突起３３Ｆをハウジング１０の右部嵌合孔１９Ｒに、左部嵌合突起３４Ｌを前部嵌合孔１８Ｆに、右部嵌合突起３４Ｒを後部嵌合孔１８Ｒに、後部嵌合突起３３Ｒを左部嵌合孔１９Ｌに、夫々、圧入する。この場合は、本体部３１の上面における右側縁部が、切欠部１７において箱形部材１１内に臨み、ここにリード線２７Ｒが接続される。また、この場合も、アース部材３０とハウジング１０が、図１の場合と同様、正方形の頂点を構成する４カ所で嵌合突起３３Ｆ，３３Ｒ，３４Ｌ，３４Ｒと嵌合孔１８Ｆ，１８Ｒ，１９Ｌ，１９Ｒが嵌合しているので、アース部材３０とハウジング１０の取付け状態が箱形部材１１及び本体部３１の全周に亘って安定する。
【００２４】
本実施例１のフィルタ内蔵型コネクタＡは、ハウジング１０と、ハウジング１０に取り付けられた端子金具２０と、ハウジング１０に対し、その外面側へ露出した状態で取り付けられるアース部材３０と、ハウジング１０内に収容され、端子金具２０とアース部材３０に接続されるコンデンサ２５とを備えている。そして、部品の種類数の増大を抑えながら、アース部材３０と端子金具２０との位置関係を複数の形態に変更できるようにするための手段として、ハウジング１０に４つの嵌合孔１８Ｆ，１８Ｒ，１９Ｌ，１９Ｒを形成し、アース部材３０に４つの嵌合突起３３Ｆ，３３Ｒ，３４Ｌ，３４Ｒを形成した。
【００２５】
これらの嵌合孔１８Ｆ，１８Ｒ，１９Ｌ，１９Ｒと嵌合突起３３Ｆ，３３Ｒ，３４Ｌ，３４Ｒは、互いに嵌合することにより、ハウジング１０とアース部材３０を相対的位置関係の異なる３つの取付け形態に選択的に保持するようになっている。したがって、ハウジング１０側の嵌合部とアース部材３０側の嵌合部との嵌合の組み合わせを変えることにより、ハウジング１０とアース部材３０を、相対的位置関係の異なる複数の取付け形態に選択的に保持することができる。
【００２６】
また、アース部材３０は、ハウジング１０の外面側に露出した状態で取り付けられるため、アース部材３０とコンデンサ２５との接続を可能にする手段として、ハウジング１０の底壁部１４に、アース部材３０におけるフィルタとの接続領域をハウジング１０の内部に臨ませる切欠部１７を形成した。これにより、切欠部１７において、アース部材３０とコンデンサ２５のリード線２７Ｒとを接続することができる。このように本実施例１によれば、アース部材３０と端子金具２０との位置関係を複数の形態に変更することができるので、部品の種類数の増大を抑えることができる。
【００２７】
また、本実施例１のフィルタ内蔵型コネクタＡは、ハウジング１０側の嵌合孔１８Ｆ，１８Ｒ，１９Ｌ，１９Ｒとアース部材３０の嵌合突起３３Ｆ，３３Ｒ，３４Ｌ，３４Ｒが、互いに同数で、正方形（正多角形）の頂点を構成するように配置されている。この構成によれば、ハウジング１０の嵌合孔１８Ｆ，１８Ｒ，１９Ｌ，１９Ｒとアース部材３０の嵌合突起３３Ｆ，３３Ｒ，３４Ｌ，３４Ｒが全て嵌合するので、ハウジング１０とアース部材３０との取付け状態が安定する。しかも、ハウジング１０側の嵌合部である嵌合孔１８Ｆ，１８Ｒ，１９Ｌ，１９Ｒとアース部材３０側の嵌合部である嵌合突起３３Ｆ，３３Ｒ，３４Ｌ，３４Ｒとが、周方向において等角度間隔で嵌合するので、ハウジング１０とアース部材３０との取付け状態が安定する。また、本実施例１のフィルタ内蔵型コネクタＡは、アース部材３０の嵌合突起３３Ｆ，３３Ｒ，３４Ｌ，３４Ｒが、ハウジング１０の嵌合孔１８Ｆ，１８Ｒ，１９Ｌ，１９Ｒに対し圧入されるようになっているので、ハウジング１０とアース部材３０を確実に取付け状態に保持することができる。
【００２８】
＜実施例２＞
以下、本発明を具体化した実施例２を図５〜図８を参照して説明する。本実施例２のフィルタ内蔵型コネクタＢは、合成樹脂製のハウジング４０と、端子金具５０と、一対のコンデンサ５５（請求項に記載のフィルタ）と、１つのコイル５８と、アース部材６０とを備えて構成されている。尚、以下の説明において、上下の方向については図６に表れる向きを基準とし、前後方向については図５〜８における左側を前側と定義する。
【００２９】
＜ハウジング４０＞
図５，６に示すように、ハウジング４０は、上面が開放された箱形部材４１と、フード部４２とを一体に形成して構成されている。箱形部材４１の上面の開口部は、カバー４３によって閉塞されるようになっている。箱形部材４１は、平面視形状が長方形をなす底壁部４４と、底壁部４４の前縁から直角に立ち上がる前壁部４５Ｆと、底壁部４４の左側縁から直角に立ち上がる左側壁部４６Ｌと、底壁部４４の右側縁から直角に立ち上がる右側壁部４６Ｒと、底壁部４４の後縁から直角に立ち上がる後壁部４５Ｒとから構成されている。
【００３０】
フード部４２は、前壁部４５Ｆの外周縁から前方へ角筒状に延出した形態である。図６に示すように、フード部４２の下面は、箱形部材４１の底壁部４４の下面に対し、アース部材６０の厚さ寸法分だけ低くなっている。底壁部４４の後端部には、底壁部４４を上下方向に貫通した形態であって、平面視形状が左右方向（幅方向）に細長い切欠部４７が形成されている。
【００３１】
左側壁部４６Ｌの前端部には、左側壁部４６Ｌの下面に開口し、上方へスリット状に切欠された左部嵌合孔４９Ｌ（請求項に記載の嵌合部）が形成されている。右側壁部４６Ｒの後端部には、右側壁部４６Ｒの下面に開口し、上方へスリット状に切欠された右部嵌合孔４９Ｒ（請求項に記載の嵌合部）が形成されている。後壁部４５Ｒの左端部には、後壁部４５Ｒの下面に開口し、上方へスリット状に切欠された後部嵌合孔４８（請求項に記載の嵌合部）が形成されている。
【００３２】
＜端子金具５０＞
端子金具５０は、全体として前後方向に細長い形状である。一対の端子金具５０は、左右に並列するように配されており、前壁部４５Ｆを前後に貫通した状態でインサート成形によりハウジング４０（箱形部材４１）と一体化されている。端子金具５０の前端側領域を構成するタブ５１は、フード部４２内に収容され、図示しない回路を構成する相手側端子（図示省略）に接続されるようになっている。端子金具５０の後端部領域を構成する溶接部５２は、箱形部材４１内に収容されている。溶接部５２の上面には、コンデンサ５５のリード線５７Ｆが半田５３（溶接）により接続されている。
【００３３】
＜コンデンサ５５＞
コンデンサ５５は、コンデンサ本体５６と、コンデンサ本体５６から延出する前後一対のリード線５７Ｆ，５７Ｒとを備えて構成されている。コンデンサ本体５６は、側面視が横長の略方形をなし、幅寸法は、前後寸法及び上下寸法に比べて小さい。コンデンサ５５は、箱形部材４１内における左右両端部に配されている。一対のリード線５７Ｆ，５７Ｒは、いずれも、コンデンサ本体５６の上面における前端部と後端部から上向きに導出されている。上向きに導出された前側のリード線５７Ｆは、前方へ転向するように屈曲され、その先端部が、半田５３により端子金具５０の溶接部５２の上面に導通可能に接続されている。また、上向きに導出された後側のリード線５７Ｒは、後方へ転向し、その先端部が、半田５３（溶接）により後述するアース部材６０に導通可能に接続されている。
【００３４】
＜コイル５８＞
コイル５８は、軸線を前後方向に向けた円柱形のコア５９の外周に螺旋状に巻き付けられて構成され、箱形部材４１内に収容されている。コイル５８は、底壁部４４の上面に載置された状態で、左右一対のコンデンサ５５の間に配されている。コイル５８の両端部は、一対の端子金具５０の溶接部５２に、半田５３により導通可能に接続される。コイル５８の溶接は、コンデンサ５５の前側のリード線５７Ｆを溶接する工程で同時に行われる。上記のようにアース部材６０と端子金具５０に接続されたコイル５８と２つのコンデンサ５５は、π型のフィルタ回路を構成し、端子金具５０に接続された回路のノイズを効果的に除去するフィルタとしての機能を発揮する。
【００３５】
＜アース部材６０＞
アース部材６０は、所定形状に打ち抜いた金属板材に、曲げ加工を施して成形されている。図８に示すように、アース部材６０は、平面視が正方形をなす本体部６１と、本体部６１の外周縁のうち後縁から後方へ本体部６１と面一状に延出する接地部６２と、３つの嵌合突起６３，６４Ｌ，６４Ｒ（請求項に記載の嵌合部）とから構成されている。接地部６２は、左右方向における中心位置に配置されている。接地部６２には、貫通形態の取付孔６５が形成されている。
【００３６】
また、本体部６１の前端縁には、その左右方向における中央部から上方へ直角に立ち上がった形態の前部嵌合突起６３（請求項に記載の嵌合部）が形成されている。本体部６１の左側縁には、その前後方向における中央部から上方へ直角に立ち上がった形態の左部嵌合突起６４Ｌ（請求項に記載の嵌合部）が形成されている。本体部６１の右側縁には、その前後方向における中央部から上方へ直角に立ち上がった形態の右部嵌合突起６４Ｒ（請求項に記載の嵌合部）が形成されている。
【００３７】
＜実施例２の作用及び効果＞
フィルタ内蔵型コネクタＢの製造工程を説明する。まず、インサート成形により、ハウジング４０を成形すると同時に、ハウジング４０と一対の端子金具５０を一体化させる。次に、ハウジング４０に対し、その下方からアース部材６０を組み付ける。アース部材６０を取り付ける際には、ハウジング４０に対する接地部６２の位置を決める。例えば、図５に示すように、接地部６２が、端子金具５０のタブ５１の突出方向とは正反対に、ハウジング４０の後方へ突出するようにする場合には、まず、アース部材６０の前部嵌合突起６３を切断等の手段により本体部６１から除去しておく。
【００３８】
そして、左部嵌合突起６４Ｌと右部嵌合突起６４Ｒを、夫々、ハウジング４０の左部嵌合孔４９Ｌと右部嵌合孔４９Ｒに圧入する。したがって、後部嵌合孔４８は、アース部材６０とハウジング４０との取付け手段として使用されない。そして、本体部６１が底壁部４４（ハウジング４０）の下面（外面）に面当たり状態で当接するまで圧入すれば、ハウジング４０に対するアース部材６０の取付けが完了する。
【００３９】
アース部材６０をハウジング４０に取り付けた状態では、嵌合突起６３，６４Ｌ，６４Ｒと嵌合孔４８，４９Ｌ，４９Ｒとの間の摩擦抵抗により、アース部材６０とハウジング４０は取付け状態に確実に保持される。また、本体部６１の上面における後端部が、切欠部４７からハウジング４０（箱形部材４１）の内部に臨んでいる。このアース部材６０のうち切欠部４７においてハウジング４０内に臨む領域は、コンデンサ５５のリード線５７Ｒとの接続領域となる。
【００４０】
アース部材６０をハウジング４０に取り付けた後、箱形部材４１内にコイル５８とコンデンサ５５を収容し、コイル５８を端子金具５０の溶接部５２に半田５３により接続するとともに、コンデンサ５５のリード線５７Ｆ，５７Ｒを端子金具５０とアース部材６０の本体部６１に半田５３により接続する。コンデンサ５５とコイル５８の接続が済んだら、箱形部材４１の開口部にカバー４３を取り付ける。以上により、フード部４２内蔵型コネクタＢの製造が完了する。
【００４１】
また、図７に実線で示すように、接地部６２をハウジング４０の右方へ突出させる場合には、アース部材６０の右部嵌合突起６４Ｒを切断等の手段により本体部６１から除去しておく。そして、アース部材６０の前部嵌合突起６３をハウジング４０の左部嵌合孔４９Ｌに、左部嵌合突起６４Ｌを後部嵌合孔４８に、夫々、圧入する。したがって、右部嵌合孔４９Ｒは、アース部材６０とハウジング４０との取付け手段として使用されない。この場合は、本体部６１の上面における左側縁部が、切欠部４７において箱形部材４１内に臨み、ここにリード線５７Ｒが接続される。
【００４２】
また、図７に想像線で示すように、接地部６２をハウジング４０の左方へ突出させる場合には、アース部材６０の左部嵌合突起６４Ｌを切断等の手段により本体部６１から除去しておく。そして、アース部材６０の前部嵌合突起６３をハウジング４０の右部嵌合孔４９Ｒに、右部嵌合突起６４Ｒを後部嵌合孔４８に、夫々、圧入する。したがって、左部嵌合孔４９Ｌは、アース部材６０とハウジング４０との取付け手段として使用されない。この場合は、本体部６１の上面における右側縁部が、切欠部４７において箱形部材４１内に臨み、ここにリード線５７Ｒが接続される。
【００４３】
本実施例２のフィルタ内蔵型コネクタＢは、ハウジング４０と、ハウジング４０に取り付けられた端子金具５０と、ハウジング４０に対し、その外面側へ露出した状態で取り付けられるアース部材６０と、ハウジング４０内に収容され、端子金具５０とアース部材６０に接続されるコンデンサ５５とを備えている。そして、部品の種類数の増大を抑えながら、アース部材６０と端子金具５０との位置関係を複数の形態に変更できるようにするための手段として、ハウジング４０に３つの嵌合孔４８，４９Ｌ，４９Ｒを形成し、アース部材６０に３つの嵌合突起６３，６４Ｌ，６４Ｒを形成した。
【００４４】
これらの嵌合孔４８，４９Ｌ，４９Ｒと嵌合突起６３，６４Ｌ，６４Ｒは、互いに嵌合することにより、ハウジング４０とアース部材６０を相対的位置関係の異なる３つの取付け形態に選択的に保持するようになっている。したがって、ハウジング４０側の嵌合部とアース部材６０側の嵌合部との嵌合の組み合わせを変えることにより、ハウジング４０とアース部材６０を、相対的位置関係の異なる複数の取付け形態に選択的に保持することができる。
【００４５】
また、アース部材６０は、ハウジング４０の外面側に露出した状態で取り付けられるため、アース部材６０とコンデンサ５５との接続を可能にする手段として、ハウジング４０の底壁部４４に、アース部材６０におけるフィルタとの接続領域をハウジング４０の内部に臨ませる切欠部４７を形成した。これにより、切欠部４７において、アース部材６０とコンデンサ５５のリード線５７Ｒとを接続することができる。このように本実施例２によれば、アース部材６０と端子金具５０との位置関係を複数の形態に変更することができるので、部品の種類数の増大を抑えることができる。また、本実施例２のフィルタ内蔵型コネクタＢは、アース部材６０の嵌合突起６３，６４Ｌ，６４Ｒが、ハウジング４０の嵌合孔４８，４９Ｌ，４９Ｒに対し圧入されるようになっているので、ハウジング４０とアース部材６０を確実に取付け状態に保持することができる。
【００４６】
＜他の実施例＞
本発明は上記記述及び図面によって説明した実施例に限定されるものではなく、例えば次のような実施例も本発明の技術的範囲に含まれる。
（１）上記実施例１，２では、ハウジング側の嵌合部とアース部材側の嵌合部を同じ数ずつ設けたが、ハウジング側の嵌合部の数とアース部材側の嵌合部の数は互いに異なっていてもよい。
（２）上記実施例１では、ハウジング側の嵌合部の数とアース部材側の嵌合部の数を４つずつとしたが、ハウジング側の嵌合部の数とアース部材側の嵌合部の数は、３つ以下でもよく、５つ以上でもよい。
（３）上記実施例２では、ハウジング側の嵌合部の数とアース部材側の嵌合部の数を３つずつとしたが、ハウジング側の嵌合部の数とアース部材側の嵌合部の数は、２つでもよく、４つ以上でもよい。
（４）上記実施例１，２では、アース部材側の嵌合部（嵌合突起）をハウジング側の嵌合部（嵌合孔）に圧入するようにしたが、アース部材側とハウジング側のうちいずか一方の嵌合部を弾性撓み可能とし、それを他方の嵌合部に対して弾性的に嵌合するようにしてもよい。
（５）上記実施例１，２では、２つのコンデンサと１つのコイルによりπ形のフィルタ回路が構成されているが、本発明は、フィルタ回路が、１つのコンデンサと１つのコイルで構成されている場合や、１つのコンデンサで構成されている場合や、２つのコンデンサで構成されている場合にも適用できる。
（６）上記実施例１，２では、アース部材のうちフィルタ（コンデンサ）に接続される本体部と、接地される接地部とを互いに平行な板状としたが、接地部が、本体部に対して斜めの向き又は直角な向きであってもよい。
（７）上記実施例１，２では、切欠部をハウジングの底壁部の一部のみに形成したが、切欠部は底壁部の全領域に亘って開口する形態としてもよい。
（８）上記実施例１，２では、ハウジング側の嵌合部とアース部材側の嵌合部の数を同じ数としたが、これに限らず、ハウジング側の嵌合部とアース部材側の嵌合部をいずれも正多角形の頂点を構成するように配置した上で、ハウジング側の嵌合部とアース部材側の嵌合部のうちいずれか一方の嵌合部の数は、他方の嵌合部の整数倍の数としてもよい。
【符号の説明】
【００４７】
Ａ…フィルタ内蔵型コネクタ
１０…ハウジング
１７…切欠部
１８Ｆ…前部嵌合孔（嵌合部）
１８Ｒ…後部嵌合孔（嵌合部）
１９Ｌ…左部嵌合孔（嵌合部）
１９Ｒ…右部嵌合孔（嵌合部）
２０…端子金具
２５…コンデンサ（フィルタ）
３０…アース部材
３３Ｆ…前部嵌合突起（嵌合部）
３３Ｒ…後部嵌合突起（嵌合部）
３４Ｌ…左部嵌合突起（嵌合部）
３４Ｒ…右前部嵌合突起（嵌合部）
Ｂ…フィルタ内蔵型コネクタ
４０…ハウジング
４７…切欠部
４８…後部嵌合孔（嵌合部）
４９Ｌ…左部嵌合孔（嵌合部）
４９Ｒ…右部嵌合孔（嵌合部）
５０…端子金具
５５…コンデンサ（フィルタ）
６０…アース部材
６３…後部嵌合突起（嵌合部）
６４Ｌ…左部嵌合突起（嵌合部）
６４Ｒ…右前部嵌合突起（嵌合部）
【図１】
2015103403.tif 000003
【図２】
2015103403.tif 000004
【図３】
2015103403.tif 000005
【図４】
2015103403.tif 000006
【図５】
2015103403.tif 000007
【図６】
2015103403.tif 000008
【図７】
2015103403.tif 000009
【図８】
2015103403.tif 000010